(57)【特許請求の範囲】
【請求項１】
光軸を中心にして円形の開口部を形成している絞り地板と、前記絞り地板に対して光軸を中心にして回転可能に取り付けられている絞りリングと、前記絞り地板と前記絞りリングとの間において各羽根がその一部を隣接する両側の羽根の間となるようにして重ねられており前記絞り地板と前記絞りリングのいずれか一方に対しては根元部の一部の位置で枢着され他方に対しては該根元部の他の位置でピンとカム溝との嵌合関係によって連結されていて前記絞りリングが回転したとき各羽根の先端部によって撮影光路の開口径を変えるようにし最小口径の撮影光路を形成しているときには前記開口部を形成している前記絞り地板の板厚内へ各羽根の最先端部を変形させている複数枚の羽根からなる絞り羽根と、を有している絞り機構と、前記絞り羽根の各羽根の最先端部が見えない側において前記絞り地板に対して直接又は間接に取り付けられ前記絞り羽根の作動面に対してその凸面を近接して配置されているレンズと、前記開口部を開閉するシャッタ羽根を取り付けているシャッタ地板が前記レンズとは反対側において前記絞り地板に対して直接又は間接に取り付けられているシャッタ機構と、を備えていることを特徴とするレンズ付き露出調整ユニット。
【請求項２】
前記レンズが鏡枠に固定されており、該鏡枠が前記絞り羽根から離れる方向に往復作動可能であるようにして前記絞り地板に対し直接又は間接に取り付けられていることを特徴とする請求項１に記載のレンズ付き露出調整ユニット。
【発明の詳細な説明】
【０００１】
【発明の属する技術分野】
本発明は、撮影光路の開口径を連続的に変化させ得るタイプの絞り機構を備えているカメラ用のレンズ付き露出調整ユニットに関する。
【０００２】
【従来の技術】
フィルムを使用するカメラのほかデジタルカメラやビデオカメラなどに使用されている絞り機構の中には、特開平６−２６５９７３号公報に記載されているタイプのものが知られている。この従来例は、二つの環状部材の間に複数枚の羽根を取り付けていて、一方の環状部材を回転させることによって開口径を変えるようにしている。また、各羽根は、根元部側の一方の面に設けられたピンにより、固定されている方の環状部材に枢着されているが、そのピンを環状部材の方に設け、各羽根には、そのピンに嵌合させる円形の孔を形成するようにしたものも知られている。また、この従来例においては、各羽根が、根元部側の他方の面に設けられたピンを、回転可能な方の環状部材に形成されたカム溝に嵌合させているが、ピンをその環状部材の方に設け、カム溝を各羽根に形成するようにしたものも知られている。更に、ピンとカム溝との嵌合構成を、固定されている方の環状部材との間に設け、ピンと孔との枢着構成を、回転可能な方の環状部材との間に設けたものも知られている。
【０００３】
また、このタイプの絞り機構の特徴は、複数枚の羽根の重なり構成にある。即ち、各羽根の根元部側を二つの環状部材に連結させ、それらの環状部材の相対回転角度位置を変えることによって、各羽根の先端部により撮影光路の開口径を変えるようにした絞り機構においては、小口径にしたときに、各羽根の最先端部が、最大口径を規制している露光用開口部に臨むことになるから、各羽根を単純に重ねた場合には、各羽根の最先端部側の支えがなくなって、作動面に対する傾きが生じ、羽根相互の密着性も得られなくなってしまうことになる。しかも、その傾向は、露光用開口部の口径を大きくすればするほど、各羽根の長さが長くなって顕著になる。そのため、このタイプの絞り機構においては、上記の公報の記載からも分かるように、全ての羽根が、必ず、隣接する両側の羽根の間にあるようにして重ねられており、全ての羽根に上記のような傾きが生じないようにしている。本発明は、少なくともこのような構成の絞り機構を備えているレンズ付き露出ユニットに関するものである。
【０００４】
【発明が解決しようとする課題】
一般に、絞り機構の中には、それ自体をユニットとして構成しておいてから、撮影レンズ系の鏡胴に取り付けるようにしたものが知られているが、そのほかにも、撮影レンズ系を構成しているレンズと共にユニット化したり、シャッタ機構と共にユニット化したり、それらの三者をユニット化したりしておいてから、カメラに組み付けるようにしたものも知られている。そして、レンズを含めてユニット化しておく場合には、レンズを、絞り機構のいずれか一方の側にだけ取り付ける場合もあるし、両側に取り付ける場合もある。その上、取り付けられたレンズを、光軸に沿って移動できるようにする場合もある。そして、予め、このようにユニット化する理由は、主に組立作業が容易となって、コスト的に有利となるからである。
【０００５】
ところで、このようなユニット化を行なう場合、カメラの設計上からは、レンズと絞り羽根とを、出来るだけ接近して配置させたい場合がある。しかし、上記のタイプの絞り機構とレンズとをユニット化する場合には、大きな問題点がある。即ち、このタイプの絞り機構は、最大口径から口径を小さく変えていっても、上記したように、各羽根に傾きが生じず、羽根相互の密着性も好適に得られるという利点がある。しかし、その反面、ある口径よりも更に小さくしていこうとすると、各羽根の先端部が撓まされてゆき、全ての羽根の最先端部が、ねじれるようにして正規の作動面から同一面側へ反り返っていくようになる。そのため、レンズの凸面が各羽根の作動面に対向している場合には、余り近接して配置させると、少なくとも最小口径のときには、各羽根の最先端部がレンズの凸面の頂点近傍領域に接触してしまうようになるという問題点がある。
【０００６】
本発明は、このような問題点を解決するためになされたものであり、その目的とするところは、上記のタイプの絞り機構とレンズとをユニット化するに際し、レンズの凸面を絞り羽根の作動面に近接させて配置させても、支障のないようにしたレンズ付き露出調整ユニットを提供することである。
【０００７】
【課題を解決するための手段】
上記の目的を達成するために、本発明のレンズ付き露出調整ユニットは、光軸を中心にして円形の開口部を形成している絞り地板と、前記絞り地板に対して光軸を中心にして回転可能に取り付けられている絞りリングと、前記絞り地板と前記絞りリングとの間において各羽根がその一部を隣接する両側の羽根の間となるようにして重ねられており前記絞り地板と前記絞りリングのいずれか一方に対しては根元部の一部の位置で枢着され他方に対しては該根元部の他の位置でピンとカム溝との嵌合関係によって連結されていて前記絞りリングが回転したとき各羽根の先端部によって撮影光路の開口径を変えるようにし最小口径の撮影光路を形成しているときには前記開口部を形成している前記絞り地板の板厚内へ各羽根の最先端部を変形させている複数枚の羽根からなる絞り羽根と、を有している絞り機構と、前記絞り羽根の各羽根の最先端部が見えない側において前記絞り地板に対して直接又は間接に取り付けられ前記絞り羽根の作動面に対してその凸面を近接して配置されているレンズと、前記開口部を開閉するシャッタ羽根を取り付けているシャッタ地板が前記レンズとは反対側において前記絞り地板に対して直接又は間接に取り付けられているシャッタ機構と、を備えているようにする。
【０００９】
また、本発明のレンズ付き露出調整ユニットにおいては、前記レンズが鏡枠に固定されており、該鏡枠が前記絞り羽根から離れる方向に往復作動可能であるようにして前記絞り地板に対し直接又は間接に取り付けられているようにすると、焦点調節などを行なうのに有利な構成となる。
【００１０】
【発明の実施の形態】
本発明の実施の形態を、図１〜図３に示した実施例によって説明する。尚、実施例は、レンズと絞り機構のほかに、シャッタ機構をもユニット化したものであって、フィルムを使用するカメラにもデジタルカメラにも組み込むことの可能なものである。そして、図１はカメラに組み付けられたときには被写体側となる方向から視た平面図であり、図２は図１の背面側からシャッタ機構が理解できるようにして示した断面図であり、図３は実施例における各部材の重なり状態を理解し易く示した断面図である。
【００１１】
本実施例は、筒状をした本体１の被写体側と、その反対側とに、鏡枠２，３を取り付け、それらの間に絞り機構とシャッタ機構とを配置するようにしている。そして、それらの鏡枠２，３にはレンズ４，５が取り付けられているが、レンズ４の場合は、鏡枠２を介さず、本体１に直接取り付けるようにしても差し支えない。また、図面上では理解することができないが、絞り機構とシャッタ機構とは、予め一体的に組み立てられ、鏡枠３を取り付ける前に、本体１に取り付けるようにしている。更に、本実施例の絞り機構とシャッタ機構の場合は、いずれも後述するモータを有しているため、図示していない構成によって、本体１の外から通電可能となっている。
【００１２】
図３に示してある絞り押さえ板６と、絞り地板７と、シャッタ地板８とは、図示していない手段によって相互に一体化されていて、絞り押さえ板６と絞り地板７との間には、絞りリング９が回転可能に取り付けられている。そして、絞り押さえ板６の中央部には、鏡枠２の内径と略同じ直径の開口部が形成されている。また、絞り地板７と、シャッタ地板８と、絞りリング９には、略同じ直径の開口部７ａ，８ａ，９ａが形成されているが、本実施例においては、絞り地板７の開口部７ａが露光用開口部となっていて、撮影光路の最大口径を規制するようになっている。
【００１３】
絞り地板７と絞りリング９の間には、７枚の羽根１０からなる絞り羽根が配置されている。そして、各羽根１０は、根元側の一方の面に設けられたピン１０ａを、絞り地板７に形成された孔７ｂに嵌合させて枢着状態とし、根元側の他方の面に設けられたピン１０ｂを、絞りリング９に形成されたカム溝９ｂに嵌合させ、該カム溝９ｂ内で移動可能にさせている。しかしながら、これらの嵌合関係は、ピン１０ａに相当するピンを絞り地板７に設けるようにし、孔７ｂに相当する孔を羽根１０に形成してもよく、また、ピン１０ｂに相当するピンを絞りリング９に設けるようにし、カム溝９ｂに相当するカム溝を羽根１０に形成しても差し支えない。更に、羽根１０と絞り地板７の間をピンとカム溝の嵌合関係にし、羽根１０と絞りリング９の間をピンと孔の枢着関係にしても差し支えない。
【００１４】
また、図１から分かるように、各羽根１０は、いずれも、それらの一部が、常に、隣接する両側の羽根の間にあるようにして重ねられていて、それらの先端部によって撮影光路の開口径を変え得るようになっているが、本実施例の場合には、それらの最先端部が、被写体側からは見えないようになっている。そして、上記したレンズ４は、その凸面の一部を、絞りリング９の開口部９ａに入り込ませ、それらの羽根１０の作動面に近接させるようにして配置されている。
【００１５】
本実施例においては、このような絞り機構を駆動するためのステッピングモータが、絞り押さえ板６とシャッタ地板８との間に配置されている。このステッピングモータの構成は周知であるため詳しい説明は省略するが、回転子１１と一体的に形成された出力歯車１２が、親子歯車１３に噛合していて、その親子歯車１３は、絞りリング９に形成されている歯部９ｃに噛合している。従って、図１において回転子１１が反時計方向へ回転すると、その回転が減速されて、絞りリング９を反時計方向へ回転させ、それによって、各羽根１０が時計方向へ回転して、開口径（絞り口径）を大きくしていくようになっている。
【００１６】
本実施例におけるシャッタ羽根は、２枚の羽根１４で構成されており、絞り地板７とシャッタ地板８の間に形成された羽根室内に配置されている。そして、それらの羽根１４は、図２に示されているように、シャッタ地板８に設けられた夫々のピン８ｂに枢着されている。また、それらの羽根１４を開閉作動させるためのモータは、ムービングマグネット型モータと称されている電流制御式のモータであって、羽根室外においてシャッタ地板８に取り付けられている。このモータの構成は周知であるため、詳しい説明は省略するが、回転子１５と一体の出力ピン１６が、シャッタ地板８に形成された長孔８ｃを貫通し、２枚の羽根１４に形成された周知の長孔に嵌合している。
【００１７】
従って、図２において回転子１５が反時計方向へ回転すると、２枚の羽根１４は相対的に回転して開口部８ａを閉じ、その後、回転子１５が時計方向へ回転すると、開口部８ａを全開するようになっている。但し、撮影時に、このような順序で作動するのは、デジタルカメラの場合であって、フィルムを使用するカメラの場合には、閉じ状態から開き、その後に閉じさせるようにすることは言うまでもない。そして、図３から分かるように、本実施例においては、レンズ５が、その凸面の一部を、シャッタ地板８の開口部８ａに入り込ませ、羽根１４の作動面に近接させるように配置されている。
【００１８】
ところで、上記の説明からも分かるように、シャッタ機構の２枚の羽根１４は、単純に重ね合わされているだけである。そのため、各羽根１４は、基本的には常に同一作動面を作動し得るように構成されていて、各羽根１４の一部が、図３において両側の開口部７ａ，８ａ内に入り込んでしまうようなことがない。従って、シャッタ機構の場合には、レンズ５の凸面を、必要に応じて、開口部８ａ内に入り込ませても、何の問題も生じない。
【００１９】
ところが、上記した構成の絞り機構の場合には、各羽根１０を単純に重ね合わせているわけではないので、既に説明したように、開口径が最小口径に近付くと、各羽根１０の最先端部が極端に光軸方向へ変形させられて行くが、その変形方向は決まっていて、それらの羽根１０の最先端部が見える方向へ変形していく。即ち、本実施例の場合には、図１のようにして見た場合、各羽根１０の最先端部は他の羽根に隠れていて見ることができないが、反対側から見た場合には見える状態になっている。そのため、図３から分かるように、各羽根１０の最先端部は、絞り地板７の開口部７ａ内に入り込んでしまっている。従って、本実施例においては、レンズ４の凸面を、何の制限も受けずに絞りリング９の開口部９ａ内に入り込ませているが、図１のように被写体側から見た場合に、各羽根１０の最先端部が見えているように構成した場合には、実施例のように十分に入り込ませることができなくなる。
【００２０】
尚、上記の実施例においては、本体１に対して鏡枠２，３を一体的に取り付ける場合で説明したが、少なくとも一方の鏡枠を、絞り羽根の作動面から離れる方向へ往復作動できるようにして取り付けても差し支えない。そのようにすると、焦点合わせやズーミングにとって有利な構成となる場合がある。また、上記の実施例は、ユニット内において、絞り羽根の作動面の両側にレンズ４，５を配置する場合で説明したが、本発明は、いずれか一方の側にだけレンズを配置しても構わない。更に、上記の実施例は、シャッタ機構をも備えている場合で説明したが、本発明は、そのような構成には限定されない。
【００２１】
【発明の効果】
以上のように、本発明によれば、絞り地板と絞りリングとの間において、各羽根が、その一部を隣接する両側の羽根の間となるようにして重ねられており、且つ絞り地板と絞りリングのいずれか一方に対しては根元部の一部の位置で枢着され他方に対しては根元部の他の位置でピンとカム溝との嵌合関係によって連結されていて、絞りリングが回転したとき各羽根の先端部によって撮影光路の開口径を変えるようにした絞り機構と、上記の各羽根の作動面に凸面を対向させるようにして配置されるレンズと、をユニット化するに際し、絞り機構が少なくとも最小口径の撮影光路を形成しているときに、各羽根の最先端部が見えない側にレンズを配置する構成にしたため、レンズを絞り羽根の作動面に近接して配置することが可能になるという利点がある。
【図面の簡単な説明】
【図１】カメラに組み付けられたとき被写体側から視た実施例の平面図である。
【図２】図１の背面側からシャッタ機構が理解できるように示した断面図である。
【図３】実施例における各部材の重なり状態が理解できるように示した断面図である。
【符号の説明】
１                        本体
２，３                    鏡枠
４，５                    レンズ
６                        絞り押さえ板
７                        絞り地板
７ａ，８ａ，９ａ          開口部
７ｂ                      孔
８                        シャッタ地板
８ｂ，１０ａ，１０ｂ      ピン
８ｃ                      長孔
９                        絞りリング
９ｂ                      カム溝
９ｃ                      歯部
１０，１４                羽根
１１，１５                回転子
１２                      出力歯車
１３                      親子歯車
１６                      出力ピン
【図１】
0004533501.tif 000002
【図２】
0004533501.tif 000003
【図３】
0004533501.tif 000004